(57)【要約】      （修正有）【課題】洗浄槽を本体内へ押し込んで該洗浄槽の上方開放部を内蓋により密閉するとき、シール性が不安定とならないように、内蓋の開閉機構を工夫すること。【解決手段】食器洗浄機本体１１と、本体に対して前後にスライドする洗浄槽２０と、下側面にパッキング３５を備え洗浄槽を開閉する内蓋３０と、該洗浄槽の前後へのスライド動作により内蓋を開閉する開閉機構とを備えて成り、上記開閉機構は、洗浄槽の後方へのスライド動作により内蓋に下向きの力を付与する押し下げ機構と、該内蓋の前後への移動を規制しながら、該内蓋を案内するガイド機構とから構成され、押し下げ機構はカム部材２６,２７と、係合部材３２,３３から構成され、上記ガイド機構のガイド手段６,７の少なくとも下方部分が、上記洗浄槽２０のスライド方向に対して傾斜して形成され、上記内蓋３０が洗浄槽を閉じるとき、該内蓋は降下しながら後方へ移動されるものである。【選択図】図１
2008178577.tif 000002
【特許請求の範囲】
【請求項１】
前面開放部を有する食器洗浄機本体と、
上記本体の前面開放部において前後方向にスライド可能であり、上方開放部を有する洗浄槽と、
上記本体の内側上方部において上方へ付勢されて取り付けられると共に、下側面にパッキングが装着されており、上記洗浄槽の上方開放部を開閉する内蓋と、
上記洗浄槽の前後方向へのスライド動作により、上記内蓋を開閉する開閉機構とを備えて成り、
上記開閉機構は、上記洗浄槽の後方へのスライド動作により、上記内蓋に下向きの力を付与する押し下げ機構と、上記内蓋の前後方向への移動を規制しながら、該内蓋を開位置と閉位置との間で案内するガイド機構とから構成され、
上記押し下げ機構は、上記洗浄槽又は内蓋の一方に設けられたカム部材と、他方に設けられて該カム部材に係合する係合部材から構成され、
上記カム部材には、上記洗浄槽のスライド方向に対して傾斜する傾斜面と、該傾斜面に連続してスライド方向に平行な平行面とが形成されている引き出し式食器洗浄機において、
上記ガイド機構のガイド手段の少なくとも下方部分が、上記洗浄槽のスライド方向に対して傾斜して形成され、上記内蓋が洗浄槽の上方開放部を閉じるとき、降下しながら後方へ移動されることを特徴とする引き出し式食器洗浄機。
【請求項２】
上記ガイド機構のガイド手段の少なくとも下方部分が、円弧状に形成されていることを特徴とする請求項１に記載の引き出し式食器洗浄機。
【請求項３】
上記ガイド機構のガイド手段の上方部分が上下方向に形成され、上記内蓋が洗浄槽の上方開放部を閉じるとき、該内蓋に装着されたパッキングが洗浄槽に接触するまでは、該内蓋が下方向にのみ移動することを特徴とする請求項１又は請求項２に記載の引き出し式食器洗浄機。
【発明の詳細な説明】
【技術分野】
【０００１】
本発明は、食器や調理器具等（以下、食器類という）の洗浄、すすぎ、乾燥等の行程を実行する引き出し式の食器洗浄機に関し、特に、洗浄槽の上方開放部を開閉する内蓋の開閉機構に関する。
【背景技術】
【０００２】
ビルトインタイプの引き出し式食器洗浄機では、食器類が収納された洗浄槽を食器洗浄機の本体内に押し込んで収容して、該洗浄槽の上方開放部を内蓋により密閉した後、洗浄、すすぎ、乾燥等の各行程を実行することによって食器類の洗浄や乾燥を行っている。
上記洗浄槽の内蓋の開閉機構としては、例えば、特開２００２−１４３０７２号公報、又は特開２００３−５１８号公報等に記載されているように、リンク機構を利用したものが知られている。このリンク機構を利用したものは、内蓋が食器洗浄機の本体に対して前後左右に設けられた４本のリンクにより支持され、前後方向に移動しつつ上下方向にも移動するように構成されており、且つばね部材により上側前方へ付勢されている。また、内蓋は洗浄槽が後方へ押し込まれるとき、該洗浄槽と係合して一緒に後方へ移動するように成っている。
このような構成により、洗浄槽が本体から前方に引き出される場合のように、内蓋に対して外力が作用しない状態では、該内蓋はばね部材により付勢されて洗浄槽の上方開放部から離れた開位置（上昇位置）にある。一方、洗浄槽が本体の後方の収容位置へ押し込まれると、該洗浄槽と係合する内蓋も後方へ移動されて、上記４本のリンクが回動して内蓋を後方へ移動させながら降下させるので、該内蓋は洗浄槽の上方開放部に対して下側後方へ押し付けられて、該洗浄槽の上方開放部を密閉する。
【０００３】
このようなリンク機構により内蓋を開閉する食器洗浄機では、実際には製作に伴う誤差により、内蓋の前後左右の４本のリンクを均等に回動させることが難しい。そのために、洗浄槽の上方開放部の縁部上面に接触するシールに作用させる加圧力を均一にすることができず、強く圧縮される部分とそうでない部分が存在することになる。その結果、強く圧縮されない部分から洗浄水が漏れるという問題が発生する。
また、内蓋がばね部材により常に上側前方へ付勢されているので、洗浄槽を食器洗浄機の本体へ押し込む収容動作の最終段階においては、該洗浄槽を押し込みながら、同時に洗浄槽のロック操作をしなければ、該洗浄槽を収容位置へ移動して内蓋を密閉することができないという問題があった。
そこで、このような問題が発生しないように、内蓋の開閉機構として上記リンク機構を使用しない食器洗浄機が、特許第３７８９７７５号公報（「引出し式食器洗浄機」、特許文献１）に記載されているように、既に提案されている。
【０００４】
上記特許文献１に記載されている食器洗浄機について、図５〜図８を参照しながら説明する。
〔従来の食器洗浄機の構成について〕
特許文献１に記載されている食器洗浄機１０は、図５に示されているように、その本体１１の前面が開放されており、この前面開放部１２に洗浄槽２０が引き出し又は押し込み可能に装着されている。この洗浄槽２０は、上方が開放された箱状に形成されており、前面に扉２２が設けられている。使用者は、この上方開放部２１から洗浄槽２０に食器類４０を出し入れする。扉２２には取っ手２２ａが形成されており、使用者が洗浄槽２０を押込み方向又は引出し方向へ移動することができるように成っている。この洗浄槽２０が収容位置に押し込まれると、本体１１内の上方に設けられている内蓋(開閉蓋)３０が降下して、洗浄槽２０の上方開放部２１を閉じる。なお、図５において左側を前方、右側を後方とする。
洗浄槽２０を本体１１内に押し込んで収容位置に戻した後、使用者が扉２２に設けられているロックレバー２４を操作して、該洗浄槽２０を収容位置にロックする。この状態で、扉２２の前面上部に設けられた操作パネル２３の運転スイッチをオンにすると、食器洗浄機１０の運転が開始され、洗浄、すすぎ、乾燥等の各行程が自動的に実行されて、洗浄槽２０に収納された食器類４０の洗浄及び乾燥が行われる。
【０００５】
図５及び図６に示されているように、上記洗浄槽２０の下部両側面には、前後方向に延びる一対の洗浄槽側レール２５,２５が固定されており、また上記本体１１の内側両側面には、一対のサポート１９,１９を介して前後方向に延びる一対の本体側レール１６,１６が固定されている。特に、図６(ｂ)に示されているように、この一対の本体側レール１６,１６はコの字状の断面を有し、このコの字状断面の内側にはローラ１７が回転軸１８によって回転自由に設けられており、このローラ１７と本体側レール１６との間に形成される隙間には洗浄槽側レール２５が差し込まれている。
このような構成によって、洗浄槽２０は一対の本体側レール１６,１６に案内されて前後方向へスライド可能であるが、上下方向への移動は規制されている。
【０００６】
食器洗浄機の本体１１の内側上部には、略平板状の内蓋３０が配置されている。この内蓋３０の下面には、その外周に沿って断面円形のパッキング（シール）３５が装着されており、このパッキング３５はシリコンゴム等の弾性材から形成されている。
上記内蓋３０の両側端には、一対の平板状の側端板３１,３１が垂直に取り付けられており、これら両側端板３１,３１の前端と後端にはそれぞれ一対の前部ローラ(ローラ)３２と後部ローラ(ローラ)３３が、また中央部には一対の中央ローラ(中ローラ)３４,３４がそれぞれ回転可能に装着されている。そして、棒状の弾性体である一対のスプリング１３,１３は、その中央部が本体１１の両内側面に形成されている各支持部１４に支持され、それぞれの両端は内蓋３０に前後方向に長穴として形成されている各スプリング穴３０ａ,３０ａに差し込まれている。
【０００７】
また、食器洗浄機の本体１１の内側両側面の上部中央には、コの字状の断面を有し内蓋３０を上下方向に案内するための一対のガイド１５,１５が固定されている。この一対のガイド１５,１５の各コの字状断面の内側には、図６(ｃ)に示されているように、上記一対の側端板３１,３１の中央部に設けられた中央ローラ３４,３４が入り込み、案内されるように成っている。
このように、内蓋３０は一対のスプリング１３,１３によって上方に付勢された状態であり、上記一対のガイド１５,１５によりスライド方向（前後方向）への動きが規制されているので、該内蓋３０は上下方向に案内されて昇降する。
そして、洗浄槽２０の前端と後端の両外側部には、図５(ｂ)及び図６(ａ)に示されているように、それぞれ一対の前部カム部材（ガイドブロック）２６と後部カム部材（ガイドブロック）２７が設けられている。これらの各カム部材２６,２７は、上記一対の前部及び後部ローラ３２,３３と係合するものであり、図７に示されているように、洗浄槽２０のスライド方向に対して傾斜する傾斜面２７ａと、該スライド方向に平行な平行面２７ｂを備えている。
なお、前部カム部材２６の傾斜面と平行面については、符号を付けて説明していないが、後部カム部材２７の傾斜面２７ａと平行面２７ｂと同じ形状を有するものである。
【０００８】
〔従来の食器洗浄機における内蓋の開閉動作について〕
洗浄槽２０が食器洗浄機１０の本体１１から引き出されると、図５(ｂ)に示されているように、前部及び後部カム部材２６,２７が前部及び後部ローラ３２,３３に係合していないため、内蓋３０はスプリング１３により上方へ付勢され、且つ、ガイド１５と中央ローラ３４から成るガイド機構により上下方向へ案内されるので、上方の開位置へ移動される。
一方、洗浄槽２０が収容位置へ向かって押し込まれると、図７(ａ)に示されているように、洗浄槽２０に形成されている後部カム部材２７の傾斜面２７ａが、内蓋３０の一対の側端板３１,３１に設けられている後部ローラ３３へ近づき、さらに洗浄槽２０が収容位置へ押し込まれて行くと、該傾斜面２７ａと後部ローラ３３が係合する。
なお、ここでは、後部カム部材２７と後部ローラ３３の動作についてのみ説明するが、前部カム部材２６と前部ローラ３２についても同じ動作を行うものである。
【０００９】
上述したように、洗浄槽２０の洗浄槽側レール２５が本体側レール１６に差し込まれており、該洗浄槽２０は上下方向の移動が規制されているため、上記傾斜面２７ａと後部ローラ３３が係合すると、該後部ローラ３３を介して内蓋３０に下向きの力が作用して、該内蓋３０は一対のスプリング１３,１３の付勢力に抗しながら、一対のガイド１５,１５に案内されて降下する（図７(ｂ)を参照）。このような状態では、スプリング１３の付勢力が後部ローラ３３を介して傾斜面２７ａに前方向きの力を加えているので、使用者はこの力に抗して洗浄槽２０を収容位置へ向けて押し込む必要がある。
なお、内蓋３０が降下すると、一対のスプリング１３,１３の曲がりが大きくなるので、該スプリング１３,１３の前後方向の長さ（両端間の距離）は減少するが、この長さの減少はスプリング１３,１３の両端が差し込まれているスプリング穴３０ａ,３０ａが長穴であるので吸収される。
【００１０】
洗浄槽２０がさらに押し込まれて収容位置に到達すると、図７(ｃ)に示されているように、後部ローラ３３が後部カム部材２７の平行面２７ｂへ移行する。そうすると、内蓋３０は洗浄槽２０の上方開放部２１の縁部上面２０ａに均一に押し付けられ、内蓋３０に装着されたパッキング３５により洗浄槽２０が密閉される。このような状態では、内蓋３０は一対のガイド１５,１５に案内されて、洗浄槽２０の上方開放部へ垂直方向に強く押し付けられる。また、後部ローラ３３が平行面２７ｂに係合した状態では、後部ローラ３３を介して平行面２７ｂに加わるスプリング１３の付勢力は、平行面２７ｂに垂直に作用するので、スライド方向（前後方向）への分力は発生しない。その結果、洗浄槽２０は収容位置において安定しており、引出し方向へ押し戻されることがないので、使用者は洗浄槽２０を収容位置にロックする際、洗浄槽２０を収容位置に保持しながら、同時に、ロックレバー２４を操作して該洗浄槽２０をロックするという面倒な操作を行う必要がない。
【００１１】
このような構成によれば、閉位置における内蓋３０と洗浄槽２０の相対的な位置関係は、前部及び後部カム部材２６,２７と、前部及び後部ローラ３２,３３と、該ローラ３２,３３が取付けられている側端板３１によって直接的に決定され、これらの各部材は比較的精度を確保し易いため、閉位置における内蓋３０と洗浄槽２０の相対的な位置関係が安定し、製品ごとのバラツキも小さく押さえることができる。
【特許文献１】特許第３７８９７７５号公報（特開２００２−３６０４９５号公報）
【発明の開示】
【発明が解決しようとする課題】
【００１２】
上記特許文献１に記載された食器洗浄機１０は、既に説明したように、洗浄槽２０が収容位置へ向かって押し込まれる最終段階において、ガイド１５によって上下方向にのみガイドされる内蓋３０を、洗浄槽２０に設けられた前部及び後部カム部材２６,２７の作用で降下させることにより、該内蓋３０に装着されたパッキング３５を該洗浄槽２０の縁部上面２０ａに圧接させて、該洗浄槽２０の上方開放部２１を密閉するものである。このような内蓋３０の動作を詳細にみれば、次の(１)〜(４)のようになる。
【００１３】
(１)  洗浄槽２０が本体１１から前方へ引き出された状態（図５を参照）から、収容位置へ向けて後方へ押し込まれるとき、該洗浄槽２０の後部カム部材２７の傾斜面２７ａが、内蓋３０の側端板３１に設けられた後部ローラ３３に接触するまでは、洗浄槽２０のみが後方へ移動される。このとき、内蓋３０は上方の開位置に保持された状態にある。（図７(ａ)、図８(ａ)）
(２) 上記後部カム部材２７の傾斜面２７ａが後部ローラ３３に接触してから、洗浄槽２０がさらに後方へ移動されると、該傾斜面２７ａにより後部ローラ３３が押圧されるので、内蓋３０はガイド１５に案内されて垂直に降下する。これにより、該内蓋３０のパッキング３５は洗浄槽２０の縁部上面２０ａに接触する。（図７(ｂ)、図８(ｂ),(ｃ)）
(３) 上記(２)の状態から洗浄槽２０がさらに後方へ移動されると、内蓋３０は後部カム部材２７と後部ローラ３３の作用よってさらに垂直に降下するので、該内蓋３０のパッキング３５は、水平方向に後方へ移動する洗浄槽２０の縁部上面２０ａで潰されながら引き摺られる。（図８(ｃ),(ｄ)）
(４) 洗浄槽２０が収容位置に到達すると、上記後部ローラ３３は後部カム部材２７の平行面２７ｂに係合して、該パッキング３５を所定の潰し代だけ圧縮して該洗浄槽２０の上方開放部２１を密閉する。（図７(ｃ)、図８(ｄ)）
【００１４】
このように、洗浄槽２０が本体１１内の収容位置へ向かって押し込まれる最終段階において、内蓋３０に装着されたパッキング３５は垂直に降下しながら洗浄槽２０の縁部上面２０ａに接触した後、この縁部上面２０ａで潰されながら水平方向に後方へ引き摺られる。
そして、上記内蓋３０のパッキング３５は、図８(ｅ)に示されているように、洗浄槽２０の縁部上面２０ａに沿って隅部が円弧状の長方形に形成されているので、該パッキング３５の各々の箇所で引き摺られる方向がそれぞれ異なることになる。即ち、該パッキング３５において、前後方向へ延びている両側部の直線部分である「イ」領域では、その長手方向へ引き摺られるが、左右方向へ延びている前後部の直線部分である「ロ」領域では、その長手方向と直交する方向へ引き摺られる。また、上記両側部と前後部の各直線部分の間を連絡する円弧部分（４箇所）である「ハ」領域では、それぞれの箇所におけるパッキング３５の中心線に対して異なった方向へ引き摺られる。
【００１５】
以上のように、上記特許文献１に記載された食器洗浄機１０においては、洗浄槽２０の上方開放部２１を内蓋３０により密閉するとき、該内蓋３０は上下方向へ移動できるが、前後方向への移動が不可能であり、これに装着されたパッキング３５は上述のように潰されながら水平方向に後方へ引き摺られるので、不均一な状態で潰されることになり、内蓋の前後方向のズレに対しシール性が不安定となって水漏れを発生するという問題が生じる。
また、上記内蓋３０のパッキング３５は、洗浄槽２０の縁部上面２０ａで水平方向へ引き摺られ不均一な状態で潰されるので、損傷を受け易く耐久性に劣るという問題が発生する。
そこで、本発明は、上記のような問題を解決するために、洗浄槽を本体内へ押し込んで該洗浄槽の上方開放部を内蓋により密閉するとき、内蓋の前後方向のズレに対しシール性が不安定とならないように、内蓋の開閉機構を工夫することである。
【課題を解決するための手段】
【００１６】
本発明に係る食器洗浄機は、上記課題を解決するために、洗浄槽の上方開放部を開閉する内蓋の開閉機構が、該内蓋に下向きの力を付与する押し下げ機構と、該内蓋の前後方向の移動を規制しながら上下方向への移動を案内するガイド機構とから成るものにおいて、このガイド機構のガイド手段を洗浄槽のスライド方向に対して傾斜することを基本とするものである。
【００１７】
(１) 本発明に係る食器洗浄機（請求項１に対応）は、前面開放部を有する食器洗浄機本体と、上記本体の前面開放部において前後方向にスライド可能であり、上方開放部を有する洗浄槽と、上記本体の内側上方部において上方へ付勢されて取り付けられると共に、下側面にパッキングが装着されており、上記洗浄槽の上方開放部を開閉する内蓋と、上記洗浄槽の前後方向へのスライド動作により、上記内蓋を開閉する開閉機構とを備えて成り、
上記開閉機構は、上記洗浄槽の後方へのスライド動作により、上記内蓋に下向きの力を付与する押し下げ機構と、上記内蓋の前後方向への移動を規制しながら、該内蓋を開位置と閉位置との間で案内するガイド機構とから構成され、上記押し下げ機構は、上記洗浄槽又は内蓋の一方に設けられたカム部材と、他方に設けられて該カム部材に係合する係合部材から構成され、上記カム部材には、上記洗浄槽のスライド方向に対して傾斜する傾斜面と、該傾斜面に連続してスライド方向に平行な平行面とが形成されている引き出し式食器洗浄機を前提として、
上記ガイド機構のガイド手段の少なくとも下方部分が、上記洗浄槽のスライド方向に対して傾斜して形成され、上記内蓋が洗浄槽の上方開放部を閉じるとき、降下しながら後方へ移動されるものである。
【００１８】
このように構成されることによって、洗浄槽が食器洗浄機本体の前面開放部へ収容されるとき、内蓋には押し下げ機構により下向きの力が付与される。このように下向きの力が付与される内蓋は、ガイド機構のガイド手段により洗浄槽のスライド方向に対して傾斜して案内されるので、降下しながら後方へ移動して洗浄槽の上方開放部を閉止する。
このような内蓋の閉止動作により、内蓋に装着されたパッキングが洗浄槽の縁部上面で圧縮されて潰されるとき、パッキングの上下方向の潰し量（上下ストローク）と、パッキングが接触してから押し込みが完了するまでの洗浄槽の移動量（前後ストローク）とが等しくなるので、パッキングの前後方向へのズレが少なく捩れ等の不均一な変形が発生せず、パッキングの安定したシール性を確保することができる。
【００１９】
(２) また、上記食器洗浄機において、ガイド機構のガイド手段の少なくとも下方部分が、円弧状に形成されていてもよい。（請求項２に対応）
このような構成によれば、ガイド溝等からなるガイド手段の形状を円弧にすることにより、パッキングの圧縮量と内蓋の後方への移動量との割合を調整することができる。
【００２０】
(３) また、上記食器洗浄機において、上記ガイド機構のガイド手段の上方部分が上下方向に形成され、上記内蓋が洗浄槽の上方開放部を閉じるとき、該内蓋に装着されたパッキングが洗浄槽に接触するまでは、該内蓋が下方向にのみ移動するようにしてもよい。（請求項３に対応）
このような構成によれば、内蓋が洗浄槽の上方開放部を閉じるとき、該内蓋に装着されたパッキングが洗浄槽の縁部上面に接触するまでは、該内蓋は後方へ移動されることはない。上記パッキングが洗浄槽の縁部上面に接触した後、該内蓋により圧縮されて潰されるとき、該内蓋は後方へ移動される。
【発明の効果】
【００２１】
本発明の食器洗浄機は、洗浄槽が食器洗浄機本体に対して収容され、内蓋が洗浄槽の上方開放部を閉じるとき、該内蓋が洗浄槽に対して降下しながら後方へ移動する（斜めに下がる）ことにより、パッキングの上下方向の潰し量（上下ストローク）と、パッキングが接触してから押し込みが完了するまでの洗浄槽の移動量（前後ストローク）とが等しくなるので、内蓋に装着されたパッキングの前後方向のズレが少なくなり、該パッキングの捩れ等の不均一な変形を防止することができる。その結果、パッキングの安定したシール性を確保することが可能となり、水漏れの発生を防止することができる。
また、パッキングを保護して損傷を防止することができるので、パッキングの耐久性を増大することが可能である。
【発明を実施するための最良の形態】
【００２２】
以下に、本発明の実施例１及び実施例２による食器洗浄機について、図１〜図４を参照しながら説明する。本発明は、上記従来の食器洗浄機において、内蓋の開閉機構を改良したものであり、それ以外の構成は従来の食器洗浄機と共通するものであるから、それぞれの実施例の説明では内蓋の開閉機構を中心に説明することとして、それ以外の共通する構成についてはその説明を省略する。また、それぞれの実施例の説明において、図５〜図８に示した従来の食器洗浄機と共通する部分については、同じ符号を用いて説明する。
【実施例１】
【００２３】
先ず、本発明の実施例１による食器洗浄機について、図１及び図２を参照しながら説明する。図１は食器洗浄機における内蓋の開閉動作を模式的に説明する断面図であり、(ａ)は内蓋が開状態の場合、(ｂ)は内蓋が開状態から閉状態へ移る中間状態の場合、(ｃ)は内蓋が閉状態の場合を示す。また、(ｄ)は(ｃ)のＤ−Ｄ断面図である。図２は内蓋を案内するガイド機構の模式的な部分拡大図である。
【００２４】
〔内蓋の開閉機構の構成〕
洗浄槽２０は、従来の食器洗浄機のものとほぼ同様であって、食器洗浄機の本体１１に対して前後方向へ引き出し又は押し込み可能にレールによって支持されており、その前方側と後方側の両外側部には、内蓋３０に下向きの力を付与する一対の前部カム部材２６と後部カム部材２７が設けられている。この一対の前部及び後部カム部材２６,２７には、それぞれ洗浄槽２０の移動方向に対して傾斜する傾斜面２６ａ,２７ａと、該傾斜面に平行な平行面２６ｂ,２７ｂが形成されている。
上記本体１１の上方両側の前方側と後方側の側壁には、上記内蓋３０の前後方向への移動を規制するガイド手段である一対の前部ガイド溝６と後部ガイド溝７が設けられており、これらの各ガイド溝６,７は内蓋３０が降下しながら後方へ移動されるように傾斜している。上記本体１１の上方両側の中央部には、内蓋３０に上方への付勢力を付与する一対のスプリング１３が、それぞれの支持部１４によって支持されている。
【００２５】
上記食器洗浄機の本体１１の内側上方部には、上記一対のスプリング１３により上方へ付勢される略平板状の内蓋３０が配置されており、この内蓋３０の下面（洗浄槽２０側の面）の外周部には、洗浄槽２０の縁部上面２０ａに圧接されるパッキング３５が装着されている。また、この内蓋３０の両側端には、一対の平板状の側端板３１が垂直に取り付けられており、これら両側端板３１の前端と後端には、上記一対の前部カム部材２６及び後部カム部材２７と係合する一対の係合部材である前部ローラ３２と後部ローラ３３が、それぞれ回転可能に設けられている。
上記一対の前部及び後部カム部材２６,２７と上記一対の前部及び後部ローラ（係合部材）３２,３３は、内蓋３０に下向きの力を与える「押し下げ機構」を構成している。
【００２６】
また、上記一対の側端板３１の中央寄りには、上記本体１１の一対の前部及び後部ガイド溝６,７に係合する一対の前部ガイドローラ３６と後部ガイドローラ３７がそれぞれ回転可能に設けられており、該一対の前部及び後部ガイドローラ３６,３７の支持軸には、上記一対のスプリング１３の各端部が接触して内蓋３０を上方へ付勢している。なお、この内蓋３０を上方へ付勢する機構としては、上記従来のものと同様に、一対のスプリング１３の各端部を内蓋３０に形成されたスプリング穴に差し込むようにすることもできる。
上記本体１１に形成された一対の前部及び後部ガイド溝（ガイド手段）６,７と、この前部及び後部ガイド溝６,７にそれぞれ係合する上記側端板３１に設けられた一対の前部及び後部ガイドローラ３６,３７は、内蓋３０を開位置と閉位置との間で案内する「ガイド機構」を構成している。
なお、洗浄槽２０の後方上部の凸部２８と内蓋３０の後方下面の凹部３８は、内蓋３０が洗浄槽２０の上方開放部２１を閉じるとき、該内蓋３０を洗浄槽２０に対して左右方向に位置決めするためのものである。
【００２７】
〔内蓋の開閉機構の動作〕
実施例１における内蓋の開閉機構の動作について、図１(ａ)〜(ｄ)を参照しながら説明する。
洗浄槽２０が食器洗浄機の本体１１から前方へ引き出されていると、従来の食器洗浄機と同様に、前部及び後部カム部材２６,２７が前部及び後部ローラ３２,３３に係合しないので、内蓋３０はスプリング１３により上方へ付勢されていると共に、前部及び後部ガイド溝６,７と前部及び後部ガイドローラ３６,３７から成るガイド機構により上側前方へ案内されるので、該内蓋３０は上側前方の開位置へ移動される。
次に、洗浄槽２０が収容位置へ向かって押し込まれると、図１(ａ)に示されているように、洗浄槽２０に形成されている前部及び後部カム部材２６,２７の各傾斜面２６ａ,２７ａが、内蓋３０の一対の側端板３１に設けられている前部及び後部ローラ３２,３３へ接近し、上記各傾斜面２６ａ,２７ａと前部及び後部ローラ３２,３３が係合する。
【００２８】
さらに、洗浄槽２０が収容位置へ向かって押し込まれると、図１(ｂ)に示されているように、前部及び後部ローラ３２,３３には、前部及び後部カム部材２６,２７の各傾斜面２６ａ,２７ａにより下向きの力が付与される。これにより、内蓋３０は一対のスプリング１３の上方への付勢力に抗しながら、前部及び後部ガイド溝６,７と前部及び後部ガイドローラ３６,３７から成るガイド機構により案内され、降下しつつ後方へ移動して洗浄槽２０の上方開放部２１を閉じる。
上記洗浄槽２０がさらに押し込まれて収容完了位置に到達すると、図１(ｃ)に示されているように、前部及び後部ローラ３２,３３は前部及び後部カム部材２６,２７のそれぞれの平行面２６ｂ,２７ｂへ係合する。そうすると、内蓋３０は洗浄槽２０の縁部上面２０ａに均一に押し付けられ、該内蓋３０に装着されたパッキング３５は規定量だけ圧縮されて（潰されて）、洗浄槽２０の上方開放部２１を密閉する。  
【００２９】
このように洗浄槽２０が本体１１内の収容位置へ押し込まれるとき、上記内蓋３０は、前部及び後部カム部材２６,２７と前部及び後部ローラ３２,３３から成る押し下げ機構の働きにより下向きの力が付与されると共に、前部及び後部ガイド溝６,７と前部及び後部ガイドローラ３６,３７から成るガイド機構の働きにより、降下しながら後方へ移動することによって、パッキングの上下方向の潰し量（上下ストローク）と、パッキングが接触してから押し込みが完了するまでの洗浄槽の移動量（前後ストローク）とが等しくなるので、該内蓋３０に装着されたパッキング３５の前後方向へのズレが少なくなり、該パッキングの捩れ等の不均一な変形を防止することができる。
したがって、内蓋３０に装着されたパッキング３５は、洗浄槽２０の縁部上面２０ａにおいて均一に潰されて、安定したシール性を確保することが可能となり、水漏れの発生を防止することができる。
【００３０】
〔実施例１の具体例〕
ここで、実施例１におけるガイド機構の具体例について、図２(ａ)を参照しながら説明する。図２(ａ)はガイド溝６(７)とガイドローラ３６(３７)から成るガイド機構の部分拡大図である。
図２(ａ)において、ガイドローラ３６(３７)の「Ａ」位置は、ガイド溝６(７)の上方前端位置であり、内蓋３０が開位置にあってパッキング３５が洗浄槽２０の上方に離れている場合である。ガイドローラ３６(３７)の「Ｂ」位置は、ガイド溝６(７)の略中間位置であり、内蓋３０が降下してパッキング３５が洗浄槽の縁部上面２０ａに接触する場合である。また、ガイドローラ３６(３７)の「Ｃ」位置は、ガイド溝６(７)の下方後端位置であり、内蓋３０が洗浄槽の上方開放部２１を密閉してパッキング３５が規定量だけ潰されている場合である。
【００３１】
上記ガイド溝６(７)の傾斜角度θは、パッキング３５の圧縮量（潰し代）Ｈ2と該パッキング３５を圧縮するときの内蓋３０の移動量Ｌ2によって決まる。最適な傾斜角度θは、圧縮量Ｈ2と移動量Ｌ2が等しくなるθ＝４５°であるが、この傾斜角度に限定されるものではなく、内蓋３０が洗浄槽２０を密閉するときパッキング３５の前後方向のズレが少なく、該パッキング３５に捩れ等の不均一な変形が発生しなければ、該傾斜角度θを適宜選択することができる。なお、Ｈ1及びＬ1は、パッキング３５が洗浄槽２０に接触するまでの上下方向及び前後方向の移動量であり、Ｈ及びＬは、上下方向及び前後方向の全移動量である。
パッキング３５の規定の潰し代Ｈ2を３ｍｍとすると、傾斜角度θが４５°の場合は内蓋３０の移動量Ｌ2が３ｍｍであり、傾斜角度θが３１°の場合は内蓋３０の移動量Ｌ2が５ｍｍである。
また、上記ガイド溝６(７)は、図２(ａ)に示されているような直線状の傾斜溝とする他に、図２(ｂ)に示すように、「Ａ」位置から「Ｂ」位置までの溝を傾斜しない上下方向に延びる直線溝とすることも可能である。
【実施例２】
【００３２】
次に、本発明の実施例２による食器洗浄機について、図３及び図４を参照しながら説明する。図３は食器洗浄機における内蓋の開閉動作を模式的に説明する断面図であり、(ａ)は内蓋が開状態の場合、(ｂ)は内蓋が開状態から閉状態へ移る中間状態の場合、(ｃ)は内蓋が閉状態の場合を示す。図４は内蓋を案内するガイド機構の模式的な部分拡大図である。
この実施例２による食器洗浄機は、上記実施例１の食器洗浄機において、本体１１に形成されたガイド手段である一対の前部ガイド溝８と後部ガイド溝９の形状が異なるだけであって、その他の構成は上記実施例１のものと同じであるから、この実施例２については、上記一対の前部及び後部ガイド溝８,９と、内蓋３０の一対の側端板３１に設けられた一対の前部及び後部ガイドローラ３６,３７とから成る「ガイド機構」を中心に説明することとして、これ以外の上記実施例１と共通する構成については、その説明を省略する。
【００３３】
〔ガイド機構の構成〕
食器洗浄機の本体１１に形成された一対の前部ガイド溝８と後部ガイド溝９は、実施例１のような直線状の傾斜溝ではなく、上下方向に延びる直線溝８ａ,９ａと、これに連続して下側後方へ傾斜する円弧溝８ｂ,９ｂから成る。この一対の前部及び後部ガイド溝８,９には、内蓋３０の一対の側端板３１に回転可能に設けられた一対の前部及び後部ガイドローラ３６,３７が、それぞれ係合されている。
【００３４】
〔ガイド機構の動作〕
洗浄槽２０が食器洗浄機の本体１１から前方へ引き出されていると、前部及び後部カム部材２６,２７が前部及び後部ローラ３２,３３に係合しないので、内蓋３０はスプリング１３の付勢力により上方へ付勢されていると共に、前部及び後部ガイド溝８,９と前部及び後部ガイドローラ３６,３７から成るガイド機構により上側前方へ案内されるので、該内蓋３０は上側前方の開位置へ移動される。
洗浄槽２０が収容位置へ向かって押し込まれると、図３(ａ)に示されているように、洗浄槽２０に形成されている前部及び後部カム部材２６,２７の各傾斜面２６ａ,２７ａが、内蓋３０の一対の側端板３１に設けられている前部及び後部ローラ３２,３３へ接近し、上記それぞれの傾斜面２６ａ,２７ａと前部及び後部ローラ３２,３３が係合する。
【００３５】
上記洗浄槽２０が収容位置へ向かってさらに押し込まれると、図３(ｂ)に示されているように、前部及び後部ローラ３２,３３は前部及び後部カム部材２６,２７の各傾斜面２６ａ,２７ａにより下向きの力が付与される。これにより、内蓋３０は一対のスプリング１３の上方への付勢力に抗しながら、前部及び後部ガイド溝８,９と前部及び後部ガイドローラ３６,３７から成るガイド機構により案内される。このガイド機構の案内によって上記内蓋３０は、前半では上下方向に延びる直線溝８ａ,９ａにより降下され、これに続く後半では円弧溝８ｂ,９ｂにより下側後方へ移動されて、洗浄槽２０の上方開放部２１を閉じる動作を行う。
上記洗浄槽２０がさらに押し込まれて収容完了位置に到達すると、図３(ｃ)に示されているように、前部及び後部ローラ３２,３３が前部及び後部カム部材２６,２７のそれぞれの平行面２６ｂ,２７ｂへ係合する。そうすると、内蓋３０は洗浄槽２０の縁部上面２０ａに均一に押し付けられ、該内蓋３０に装着されたパッキング３５は規定量だけ潰されて、洗浄槽２０の上方開放部２１を密閉する。
【００３６】
このように、実施例２によるガイド機構によれば、前部及び後部カム部材２６,２７と前部及び後部ローラ３２,３３から成る押し下げ機構により、内蓋３０に下向きの力を付与する場合の前半、即ち、内蓋３０のパッキング３５が洗浄槽２０に接触する前では、該内蓋３０を直線溝８ａ,９ａに沿って垂直に降下させる。これに続く、内蓋３０に下向きの力を付与する場合の後半、即ち、内蓋３０のパッキング３５が洗浄槽２０の縁部上面２０ａに接触した後では、該内蓋３０を円弧溝８ｂ,９ｂに沿って降下させながら後方（斜め下に）へ移動させるので、内蓋３０に装着されたパッキング３５の前後方向のズレが少なくなり、該パッキング３５の不均一な変形を防止することが可能になるので、安定したシール性を確保することができ水漏れの発生を防止することが可能である。
【００３７】
〔実施例２の具体例〕
ここで、実施例２の具体例について、図４を参照しながら説明する。図４はガイド溝８(９)とガイドローラ３６(３７)から成るガイド機構の拡大図である。
図４において、ガイドローラ３６(３７)の「Ａ」位置は、ガイド溝８(９)の上下方向に延びる直線溝８ａ(９ａ)の上端位置であり、内蓋３０が開位置にあってパッキング３５が洗浄槽２０から離れている場合である。ガイドローラ３６(３７)の「Ｂ」位置は、上記上下方向に延びる直線溝８ａ(９ａ)から傾斜して延びる円弧溝８ｂ(９ｂ)へ移る位置であり、内蓋３０が降下してパッキング３５が洗浄槽の縁部上面２０ａに接触する場合である。また、ガイドローラ３６(３７)の「Ｃ」位置は、上記円弧溝８ｂ(９ｂ)の下方後端位置であり、内蓋３０が洗浄槽の上方開放部２１を密閉してパッキング３５が規定量だけ潰されている場合である。
【００３８】
上記円弧溝８ｂ(９ｂ)の形状は、パッキング３５の圧縮量（潰し代）Ｈ2と該パッキング３５を圧縮するときの内蓋３０の移動量Ｌ2(Ｌ)により決まる。例えば、パッキング３５の潰し代を３ｍｍとすると、ガイドローラ３６(３７)の「Ａ」位置から「Ｃ」位置までの上下方向の全移動距離（内蓋の降下ストローク）Ｈを９ｍｍ、同じく「Ａ」位置から「Ｃ」位置までの前後方向の全移動距離（内蓋の後方へのストローク）Ｌ(Ｌ2)を５ｍｍ、ガイドローラ３６(３７)の「Ａ」位置から「Ｂ」位置までの上下方向の移動距離（内蓋のパッキングが接触するまでのストローク）Ｈ1を６ｍｍ、「Ｂ」位置から「Ｃ」位置までの円弧溝８ｂ(９ｂ)の半径Ｒは１４.８ｍｍである。なお、円弧溝の半径Ｒは、「Ｂ」と「Ｃ」位置を通る所定の範囲の寸法、例えばＲ＝１５〜２０ｍｍとすることができる。
また、上記ガイド溝８(９)は、図４に示されているような形状の他、全体を円弧形状に形成したり、複数の直線溝を連続させて形成することもできる。
【図面の簡単な説明】
【００３９】
【図１】は、本発明の実施例１の食器洗浄機における内蓋の開閉動作を模式的に説明する縦断面図であり、(ａ)は内蓋が開状態の場合、(ｂ)は内蓋が開状態から閉状態への中間状態の場合、(ｃ)は内蓋が閉状態の場合を示し、(ｄ)は(ｃ)のＤ−Ｄ断面図である。
【図２】は、実施例１の食器洗浄機における内蓋のガイド機構の模式的な部分拡大図であり、(ａ)及び(ｂ)は異なる形状のガイド溝を示す。
【図３】は、本発明の実施例２の食器洗浄機における内蓋の開閉動作を模式的に説明する縦断面図であり、(ａ)は内蓋が開状態の場合、(ｂ)は内蓋が開状態から閉状態への中間状態の場合、(ｃ)は内蓋が閉状態の場合を示す。
【図４】は、実施例２の食器洗浄機における内蓋のガイド機構の模式的な部分拡大図である。
【図５】は、従来の食器洗浄機を説明する模式図であり、(ａ)は洗浄槽を引き出した状態の斜視図、(ｂ)は同じく洗浄槽を引き出した状態の縦断面図である。
【図６】は、従来の食器洗浄機を説明する模式図であり、(ａ)は洗浄槽を収容した状態の縦断面図、(ｂ)は(ａ)のＩ−Ｉ断面図（左半分は内蓋が閉じた状態、右半分は内蓋が開いた状態）、(ｃ)は(ａ)のII−II断面図である。
【図７】は、従来の食器洗浄機において、洗浄槽の収容動作中における内蓋の閉動作を説明する模式図であり、(ａ)は内蓋の閉動作が開始される直前の状態、(ｂ)は内蓋の閉動作中の状態、(ｃ)は内蓋の閉動作が終了した状態を示す。
【図８】は、従来の食器洗浄機において、洗浄槽の収容動作中における内蓋のパッキングと洗浄槽との関係を説明する図であり、(ａ)〜(ｄ)は内蓋の閉動作の過程に関する説明図、(ｅ)は内蓋の閉動作中におけるパッキングの引き摺り状態の説明図である。
【符号の説明】
【００４０】
６,８…前部ガイド溝（ガイド手段）       ７,９…後部ガイド溝（ガイド手段）
１０…食器洗浄機                        １１…（食器洗浄機）本体
１２…前面開放部                        １３…スプリング
１４…（スプリングの）支持部            １６…本体側レール
１７…ローラ                            １８…回転軸
１９…サポート                          ２０…洗浄槽
２０ａ…（洗浄槽の）縁部上面            ２１…上方開放部
２２…扉                                ２５…洗浄槽側レール
２６…前部カム部材                      ２７…後部カム部材
２６ａ,２７ａ…傾斜面                   ２６ｂ,２７ｂ…平行面
３０…内蓋                              ３１…側端板
３２…前部ローラ                        ３３…後部ローラ
３５…パッキング                        ３６…前部ガイドローラ
３７…後部ガイドローラ
【図１】
2008178577.tif 000003
【図２】
2008178577.tif 000004
【図３】
2008178577.tif 000005
【図４】
2008178577.tif 000006
【図５】
2008178577.tif 000007
【図６】
2008178577.tif 000008
【図７】
2008178577.tif 000009
【図８】
2008178577.tif 000010